(57)【要約】【課題】作業盤上にＦＦＣを所定経路に沿ってねじれを起こすことなく案内しながら配索すると共に、配索されたＦＦＣに外装処理を施すことが容易で、ワイヤーハーネスの生産性を高め、コストを低減させることができるＦＦＣ配索用治具を提供する。【解決手段】ワイヤーハーネス組み立て用の作業盤１０に立設される支持部材１２と、その支持部材１２に設けられ、ＦＦＣ１４を案内しながら配索する配索部１６とを備え、その配索部１６は、ＦＦＣ１４を支持する受け面２５が平滑に形成されている固定受部材１８と、その固定受部材１８を押圧し得るように配設される可動受部材２０と、可動受部材２０を固定受部材１８に押圧して両部材１８、２０間にＦＦＣ１４を保持するトグル保持手段２２とを有する。【選択図】　　　　図１
2004014488.tif 000002
【特許請求の範囲】
【請求項１】
ワイヤーハーネス組み立て用の作業盤に立設される支持部材と、その支持部材に設けられ、ＦＦＣを案内しながら配索する配索部とを備え、その配索部は、ＦＦＣを支持する受け面が平滑に形成されている固定受部材と、その固定受部材を押圧し得るように配設される可動受部材と、可動受部材を固定受部材に押圧して両部材間にＦＦＣを保持するトグル保持手段とを有することを特徴とするＦＦＣ配索用治具。
【発明の詳細な説明】
【０００１】
【発明の属する技術分野】
本発明はワイヤーハーネス（Ｗ／Ｈ）の組み立てを行う際、ワイヤーハーネス組み立て用の作業盤上に立設され、ＦＦＣ（フレキシブルフラットケーブル）（テープ電線や回路基板用導体（ＦＰＣ）を含む）を所定経路に沿って案内しながら配索するためのＦＦＣ配索用治具に関するものである。
【０００２】
【従来の技術】
一般的に、ワイヤーハーネス（Ｗ／Ｈ）、特に自動車用のワイヤーハーネスは、図４に示すように、ワイヤーハーネス組み立て用の作業盤１に所定経路Ｒに沿って所定長に調尺切断された複数本の円形電線ｂを配索して電線束Ｂを形成し、この電線束Ｂの外周に電線ｂのばらけ防止のためにテープ２等を巻き付けて結束したり、この電線束Ｂにワイヤーハーネスを車体等に固定するためのクランプ部材や保護チューブ、グロメット等の各種部品を取り付けたり等して外装処理を施すことにより組み立てられる。このワイヤーハーネスの組み立てを行う際、前記作業盤１上に前記電線ｂを所定経路Ｒに沿って案内しながら配索することができるように、前記作業盤１上に予め所定経路Ｒに沿って立設されたＵ形状（フォーク形状）の電線配索用治具３が使用される。
【０００３】
【発明が解決しようとする課題】
近年、自動車等に搭載される電装部品数の増加等に伴うワイヤーハーネスのモジュール化の促進により、ワイヤーハーネスを構成する電線の形態が従来の円形電線ｂを束ねた電線束Ｂの形態から、小スペースでもワイヤーハーネスを組み付けることが可能なＦＦＣの形態に変わりつつある。
【０００４】
しかしながら、前記Ｕ形状の電線配索用治具３を用いて、そのＦＦＣを作業盤１上に所定経路Ｒに沿って案内しながら配索しようとすると、ＦＦＣが扁平体であること、電線配索用治具３のＦＦＣを支持する受け面がＵ形状になっていることにより、前記ＦＦＣを支持する受け面とＦＦＣとの間に遊隙間（デッドスペース）が生じてＦＦＣの支持が不安定になり、ＦＦＣにねじれが起きて、ＦＦＣを所定の配索位置に、また、ＦＦＣを集積して配索する場合には上下に積み重なったＦＦＣの配列順序が乱れ易いため、ＦＦＣを整列させて正しく配索することが難しいという問題があった。
【０００５】
また、ＦＦＣはこれを前記電線配索用治具３に掛けて引っ張りながら案内して配索するが、ＦＦＣが分岐部等を形成するために折り曲げ部を有していると、その折り曲げ部が変形し、最悪の場合には破損する恐れがあり、折り曲げ部を有するＦＦＣを正しく配索することが難しいという問題があった。
【０００６】
更に、集積されたＦＦＣの外周にテープ等を巻き付けて結束したり、これに前記各種部品を取り付けたりする際、ＦＦＣが位置ずれやねじれを起こし易いので、ＦＦＣに外装処理を施すのが容易でなく、このため、ワイヤーハーネスの組み立てを行う際、配索及び外装処理の作業性、即ち、ワイヤーハーネスの生産性が低下してワイヤーハーネスのコストが高くなるという問題があった。
【０００７】
本発明は上記課題を解決し、作業盤上にＦＦＣを所定経路に沿ってねじれを起こすことなく案内しながら配索すると共に、配索されたＦＦＣに外装処理を施すことが容易で、ワイヤーハーネスの生産性を高め、コストを低減させることができるＦＦＣ配索用治具を提供することを目的とする。
【０００８】
【課題を解決するための手段】
上記目的を達成するため、本発明に係るＦＦＣ配索用治具は、ワイヤーハーネス組み立て用の作業盤に立設される支持部材と、その支持部材に設けられ、ＦＦＣを案内しながら配索する配索部とを備え、その配索部は、ＦＦＣを支持する受け面が平滑に形成されている固定受部材と、その固定受部材を押圧し得るように配設される可動受部材と、可動受部材を固定受部材に押圧して両部材間にＦＦＣを保持するトグル保持手段とを有するものである。
【０００９】
本発明のＦＦＣ配索用治具を用いてＦＦＣを作業盤上に所定経路に沿って案内しながら配索すると、固定受部材のＦＦＣを受ける面が平滑に形成されているので、ＦＦＣを支持する受け面とＦＦＣとの間で遊隙間が生じず、ＦＦＣを安定して支持することが可能になる。そこで、ＦＦＣの配索中に、ＦＦＣにねじれを起こすようなことがなくなり、ＦＦＣを所定の配索位置に正しく配索することができる。また、ＦＦＣを集積して配索するような場合にも、上下に積み重なったＦＦＣの配列順序が乱れるようなことがなくなり、ＦＦＣを整列させて正しく配索することができる。
【００１０】
また、折り曲げ部を有するＦＦＣを配索するような場合には、その折り曲げ部の部位を配索部の固定受部材と可動受部材との間に挟んでトグル保持手段により保持することが可能になるので、ＦＦＣの配索時にその折り曲げ部が変形したり、破損したりするようなことがなくなり、折り曲げ部を有するＦＦＣを正しく配索することができる。
【００１１】
また、集積されたＦＦＣの外周にテープ等を巻き付けて結束したり、これにクランプ部材や保護チューブ、グロメット等の各種部品を取り付けたり等して外装処理を施す場合にも、前記トグル手段を有する配索部によりＦＦＣに位置ずれ、横振れ及びねじれを起こすことなく外装処理を施すことが可能になり、よって、ワイヤーハーネスの組み立てを行う際、ＦＦＣの配索及び外装処理の作業性、即ち、ワイヤーハーネスの生産性が向上して、ワイヤーハーネスのコストを低減させることができる。
【００１２】
更に、ＦＦＣを保持する手段としてトグル保持手段を使用するので、可動受部材の押圧動作及び押圧解除動作を迅速、且つ、確実に行えるほか、配索用治具の構造が簡単になり、小型になるので、作業盤への搭載が容易になり、高密化したワイヤーハーネスの組み立てにも十分適用することができる。
【００１３】
【発明の実施の形態】
次に本発明の実施形態を図面に基づき詳細に説明する。図１は本発明に係るＦＦＣ配索用治具の一実施形態を示す一部省略正面図、図２は図１の一部省略右側面図、図３は図１のＸ−Ｘ拡大断面図である。
【００１４】
本実施形態のＦＦＣ配索用治具は、図１、２に示すように、ワイヤーハーネス組み立て用の作業盤１０に螺着手段により立設される、例えば、２本の支柱からなる支持部材１２と、その支持部材１２の頭部に螺着手段等により設けられ、ＦＦＣ１４を案内しながら配索する配索部１６とを備えて構成される。
【００１５】
配索部１６は、ＦＦＣ１４を案内しながら配索する機能を有するブロック体からなる固定受部材１８と、その固定受部材１８を押圧し得るように開閉自在に配設される、例えば、矩形の板状片からなる可動受部材２０と、可動受部材２０を固定受部材１８に押圧して両部材１８、２０間に１本又は図示するように複数本を集積させたＦＦＣ１４を挟んで保持するトグル保持手段２２とを有する。
【００１６】
固定受部材１８の上面のほぼ中央部には、ＦＦＣ１４を案内しながら配索する、例えば、図１に示すようなコ字状溝からなる凹部２４が設けられ、その底面に相当するＦＦＣ１４を支持する受け面２５が平滑に形成されている。なお、凹部２４は、固定受部材１８の上面の一側縁部又は二側縁交差部（隅部）にＬ形状となるように形成してもよい。このようなＬ形状の凹部２４、特に後者のＬ形状の凹部２４を形成しておくと、ＦＦＣ１４の折り曲げ部を案内しながら配索し、且つ、保持し易いので好ましい。また、凹部２４は必ずしも必要なものではなく、固定受部材１８の上面を平滑にしてＦＦＣ１４をじかに支持し得るような受け面２５に形成してもよい。
【００１７】
可動受部材２０は、図示するものでは、固定受部材１８の凹部２４より若干狭い幅を有し、図示されないが、固定受部材１８よりも長さが短く形成されている。なお、可動受部材２０のＦＦＣ１４に当接する下面の形状も平滑に形成することが望ましいが、可動受部材２０の方は必ずしもこの形状に限定されない。
【００１８】
トグル保持手段２２は、固定受部材１８に取り付け固定されるフレーム２６と、フレーム２６に上下方向に回動自在に軸支され、前端側にアタッチメント２８を介して可動受部材２０が取り付けられ、固定受部材１８及びＦＦＣ１４を押圧可能な押圧用アーム３０と、揺動操作によって押圧用アーム３０の押圧動作と押圧解除動作を行う操作レバー３２と、操作レバー３２の揺動操作によって、フレーム２６及び押圧用アーム３０と操作レバー３２との間に接続されて操作レバー３２の揺動操作を押圧用アーム３０に伝達するトグル機構３４とから構成される。
【００１９】
押圧用アーム３０は上下方向に回動自在となるように、後端側が軸３６によりフレーム２６に軸支されている。押圧用アーム３０の前端側にはアタッチメント２８を取り付けるために、上下方向に貫通する貫通孔３０ａが設けられている。アタッチメント２８は、前記貫通孔３０ａに挿着されるボルト３８と、ボルト３８のねじ部３８ａに螺合させて押圧用アーム３０における貫通孔３０ａの上下周縁部に当接してボルト３８を締め付け固定するナット４０、４１とからなる。そして、アタッチメント２８のボルト３８の下端部には前記可動受部材２０が螺着手段により取り付けられる。
【００２０】
フレーム２６は、下部の２つのベース４２、４２と、ベース４２、４２の相互の対向部位からそれぞれ上方へ延びる縦板部４４とから構成され、各縦板部４４は、後部側で連結されている。また、各ベース４２には、フレーム２６を前記固定受部材１８に取り付け固定するためのボルト４６を挿通させる複数の取付孔４２ａが形成されている。また、各縦板部４４には、前部側の下部にトグル機構３４の後記する長リンク５１の先端側（図１、２の下方側）を軸支する軸４８が保持され、後部側の上部に、押圧用アーム３０の後端側を軸支する前記軸３６が保持されている。
【００２１】
トグル機構３４は、図２、３に示すように、各１つの短リンク５０及び長リンク５１から構成され、押圧用アーム３０が押圧動作完了状態のとき、短リンク５０及び長リンク５１が重なった状態で略直線状になるように組み合わせられ、可動受部材２０の押圧方向が上下方向を向くようになっている。
【００２２】
短リンク５０は、下方の先端側が軸５２により押圧用アーム３０の後部側に軸支され、上方の基部側が軸５４により長リンク５１の基部側に軸支されている。短リンク５０は、押圧用アーム３０を間に配置させるように２枚の板材５０ａ、５０ａ（図２、３参照）から構成され、板材５０ａ、５０ａ相互は、アタッチメント２８側の部位に配置された連結部５０ｂで連結されている。
【００２３】
長リンク５１は、下方の先端側が軸４８によりフレーム２６の縦板部４４に軸支され、上方の基部側が軸５４により短リンク５０の基部側に軸支されている。この長リンク５１は、短リンク５０を間に配置させるように２枚の板材５１ａ、５１ａ（図２、３参照）から構成され、また、上方の基部側の端部相互を内側に屈曲させて接合させて操作レバー３２の主要部として構成されている。なお、長リンク５１の基部側に形成された前記軸５４を保持する孔は、長リンク５１の長手方向に延びる長孔５１ｂ，５１ｂ（図２、３参照）に形成されている。これにより、短リンク５０の基部側を軸支する基部側の軸５４は、長リンク５１の板材５１ａ、５１ａにおけるその長手方向に形成された長孔５１ｂ，５１ｂ内に摺動可能に挿入されて軸支される。
【００２４】
このトグル保持手段２２の使用態様は、図１の二点鎖線で示すように、操作レバー３２を後方（時計方向）へ押し下げるように揺動操作すると、長リンク５１が軸４８を中心として後方（時計方向）へ回動して、短リンク５０を後方へ引っ張るため、押圧用アーム３０が軸３６を中心にして後方（時計方向）へ回動し、アタッチメント２８の下端部に取り付けられた可動受部材２０が下部に配設された固定受部材１８から離れて開き、ＦＦＣ１４の配索やＦＦＣ１４の保持の解除等を行うことができる。
【００２５】
反対に、操作レバー３２を上方（反時計方向）へ引き上げるように揺動操作すると、図１の実線で示すように、長リンク５１が軸４８を中心として前方（反時計方向）へ回動して、短リンク５０を前方に押すため、押圧用アーム３０が軸３６を中心にして前方（反時計方向）へ回動し、可動受部材２０が固定受部材１８に当接するように閉じて、固定受部材１８に案内されながら配索されたＦＦＣ１４を押圧して両部材１８、２０間にＦＦＣ１４を挟んで保持し、ＦＦＣに外装処理等を施すことができる。作業盤１０に配索されるＦＦＣ１４の高さ位置が変わる場合には、アタッチメント２８のナット４０、４１を緩めてボルト３８を上下方向に移動させ、ナット４０、４１を締め付けることにより、可動受部材２０の高さ位置をＦＦＣ１４の高さに適応した高さに調節することができる。
【００２６】
なお、押圧用アーム３０、即ち、可動受部材２０が押圧動作完了状態のとき、トグル機構３４の短リンク５０及び長リンク５１が、前記したように重なった状態で略直線状態になるように配置されることになる。更に、押圧用アーム３０、即ち、可動受部材２０がＦＦＣ１４への押圧力の反力で戻らないように、短リンク５０を押圧用アーム３０に軸支する軸５２が、短リンク５０の基部側を長リンク５１の基部側に軸支する軸５４と、長リンク５１の先端側をフレーム２６に軸支する軸４８とを結ぶ縦のデッドラインを図１の右方へ僅かに越える状態で、且つ、短リンク５０の連結部５０ｂが押圧用アーム３０に当接した状態で、各部が停止状態になる。このようなトグル機構３４を有するトグル保持手段２２を用いることにより、押圧用アーム３０、即ち、可動受部材２０の押圧動作及び押圧解除動作を迅速、且つ、確実に行うことが可能になる。本実施形態のＦＦＣ配索用治具は以上のような構成になっている。
【００２７】
次に、このＦＦＣ配索用治具を使用する場合には、前記図４に基づいて説明したのと同様に、このＦＦＣ配索用治具を作業盤１０上に予め所定経路に沿って所定間隔をおいて立設する。次に、各ＦＦＣ配索用治具の操作レバー３２を後方へ押し下げ、可動受部材２０を開いて上方へ後退させ、押圧解除動作状態にする。次に、配索すべき１本又は複数本のＦＦＣ１４を、ＦＦＣ配索用治具に掛けて引っ張り、該治具で案内しながら、所定経路に沿って配索する。このようなＦＦＣ配索用治具を用いることにより、可動受部材２０の押圧動作及び押圧解除動作を迅速、且つ、確実に行えるので、ＦＦＣ１４にねじれを起こすことなく円滑に配索することが可能になる。
【００２８】
また、ＦＦＣ１４が折り曲げ部を有し、この折り曲げ部の部分を該治具の固定受部材１８の凹部２４に載置し、操作レバー３２を上方へ引き上げて可動受部材２０を下方へ降ろし、固定受部材１８及びＦＦＣ１４の折り曲げ部を押圧するように閉じて押圧動作状態にし、両部材１８、２０間に前記折り曲げ部を保持する。このようにして前記折り曲げ部の配索を行う。これにより、前記折り曲げ部を変形、破損することなく配索することが可能になる。
【００２９】
次に、作業盤１０上に配索されたＦＦＣ１４の外周にテープ等を巻き付けて結束したり、これにクランプ部材や保護チューブ、グロメット等の各種部品を取り付けたり等して外装処理を施す場合には、外装処理を施す部分の前後方に立設されているＦＦＣ配索用治具の操作レバー３２を上方へ引き上げて、可動受部材２０を下方へ降ろし、これを固定受部材１８側に押圧して両部材１８、２０間にＦＦＣ配索用治具１４を挟んで保持する。このように保持された状態のＦＦＣ１４に外装処理を施す。これにより、ＦＦＣ１４に位置ずれ、横振れ及びねじれを起こすことなく外装処理を施すことが可能になる。このようにして、ＦＦＣ１４を配索し、これに外装処理を施すことによりワイヤーハーネスを組み立てる。
【００３０】
【発明の効果】
以上述べたように、本発明のＦＦＣ配索用治具によると、ワイヤーハーネス組み立て用の作業盤に立設される支持部材と、その支持部材に設けられ、ＦＦＣを案内しながら配索する配索部とを備え、その配索部は、ＦＦＣを支持する受け面が平滑に形成されている固定受部材と、その固定受部材を押圧し得るように配設される可動受部材と、可動受部材を固定受部材に押圧して両部材間にＦＦＣを保持するトグル保持手段とを有するので、ＦＦＣの配索中に、ＦＦＣにねじれを起こすようなことがなくなり、ＦＦＣを所定の配索位置に正しく配索することができる。また、ＦＦＣを集積して配索するような場合にも、上下に積み重なったＦＦＣの配列順序が乱れるようなことがなくなり、ＦＦＣを整列させて正しく配索することができる。
【００３１】
また、折り曲げ部を有するＦＦＣを配索するような場合には、その折り曲げ部の部位を配索部の固定受部材と可動受部材との間に挟んでトグル保持手段により保持することが可能になるので、ＦＦＣの配索時にその折り曲げ部が変形したり、破損したりするようなことがなくなり、折り曲げ部を有するＦＦＣを正しく配索することができる。
【００３２】
また、集積されたＦＦＣの外周にテープ等を巻き付けて結束したり、これにクランプ部材や保護チューブ、グロメット等の各種部品を取り付けたり等して外装処理を施す場合にも、前記トグル手段を有する配索部によりＦＦＣに位置ずれ、横振れ及びねじれを起こすことなく外装処理を施すことが可能になり、よって、ワイヤーハーネスの組み立てを行う際、ＦＦＣの配索及び外装処理の作業性、即ち、ワイヤーハーネスの生産性が向上して、ワイヤーハーネスのコストを低減させることができる。
【００３３】
更に、ＦＦＣを保持する手段としてトグル保持手段を使用するので、可動受部材の押圧動作及び押圧解除動作を迅速、且つ、確実に行えるほか、配索用治具の構造が簡単になり、小型になるので、作業盤への搭載が容易になり、高密化したワイヤーハーネスの組み立てにも十分適用することができる。
【図面の簡単な説明】
【図１】本発明に係るＦＦＣ配索用治具の一実施形態を示す一部省略正面図である。
【図２】図１の一部省略右側面図である。
【図３】図１のＸ−Ｘ拡大断面図である。
【図４】従来の電線配索用治具を用いて、作業盤に円形電線を配索して電線束を形成し、その外周にテープ等を巻き付けてワイヤーハーネスを組み立てる状態を示す斜視図である。
【符号の説明】
１０　　　作業盤
１２　　　支持部材
１４　　　ＦＦＣ
１６　　　配索部
１８　　　固定受部材
２０　　　可動受部材
２２　　　トグル保持手段
２４　　　凹部
２５　　　受け面
２６　　　フレーム
２８　　　アタッチメント
３０　　　押圧用アーム
３０ａ　　貫通孔
３２　　　操作レバー
３４　　　トグル機構
３６　　　軸
３８　　　ボルト
３８ａ　　ねじ部
４０　　　ナット
４１　　　ナット
４２　　　ベース
４２ａ　　取付孔
４４　　　縦板部
４６　　　ボルト
４８　　　軸
５０　　　短リンク
５０ａ　　板材
５０ｂ　　連結部
５１　　　長リンク
５１ａ　　板材
５１ｂ　　長孔
５２　　　軸
５４　　　軸
【図１】
2004014488.tif 000003
【図２】
2004014488.tif 000004
【図３】
2004014488.tif 000005
【図４】
2004014488.tif 000006